(57)【要約】      （修正有）【課題】通常のLEDの配列によって作られるディスプレイに比して、知覚ピクセル充填率が増大し、したがって画像品質が向上したLEDディスプレイを得る。【解決手段】本発明のLEDデバイスには、光学要素、たとえば反射鏡、ライトパイプ、および/または各種光学レンズが、LEDとともに含まれる。前記光学要素は、点光源であるLEDによって放射される光束に対する拡大作用を与える。さらに、本発明のLEDデバイスの使用により、適度の費用で低解像度のLEDディスプレイを作ることができ、高い画像の質が与えられる。【選択図】図５Ａ−５Ｂ
2007123904.tif 000002
【特許請求の範囲】
【請求項１】
LEDデバイスの配列から成るLEDディスプレイに使用するためのLEDデバイスであって、
前記LEDデバイスが、一つのLED(220)と一つの反射鏡(218、410、510、810)とを有し、該反射鏡が前記LED(220)によって放射される光束に対する拡大作用を与えるように配置されている、
ことを特徴とするLEDデバイス。
【請求項２】
LED(220)と反射鏡(218、410、510、810)との両方が、硬化した光透過性の充填材(222)によって被覆され、該硬化充填材が、反射鏡(218、410、510、810)が向けられる露出表面を有することを特徴とする請求項１に記載のLEDデバイス。
【請求項３】
当該露出表面(818、916)が球面であることを特徴とする請求項２に記載のLEDデバイス。
【請求項４】
円形偏光子(224)が充填材(220)の露出表面上に備えられていることを特徴とする請求項２に記載のLEDデバイス。
【請求項５】
当該LEDデバイスが入力端(514、612、814、912、1012)と出力端(516、614、816、914、1014)とを有する光発散要素(512、610、812、910、1010)を有し、ここで、前記光発散要素(512、610、812、910、1010)の入力端(514、612、814、912、1012)が充填材(222)の当該露出表面に対向配置され、またここで、当該LED(220)が当該反射鏡(218、410、510、810)と前記光発散要素(512、610、812、910、1010)との間に配置されることを特徴とする請求項２に記載のLEDデバイス。
【請求項６】
当該光発散要素(512、610、812、910、1010)の当該入力端(514、612、814、912、1012)が当該充填材(222)の当該露出表面に接着されることを特徴とする請求項２または５に記載のLEDデバイス。
【請求項７】
凸レンズ(710)が、当該光発散要素(512、610、812、910、1010)の当該出力端(516、614、816、914、1014)に備えられることを特徴とする請求項５に記載のLEDデバイス。
【請求項８】
屈折レンズ(1018)が、当該光発散要素(512、610、812、910、1010)の当該出力端(516、614、816、914、1014)に備えられることを特徴とする請求項５に記載のLEDデバイス。
【請求項９】
当該光発散要素(512、610、812、910、1010)の当該出力端(516、614、816、914、1014)が、テクスチャー加工表面(1016)を有することを特徴とする請求項５に記載のLEDデバイス。
【請求項１０】
当該光発散要素(512、610、812、910、1010)の当該出力端(516、614、816、914、1014)が、凸面であることを特徴とする請求項５に記載のLEDデバイス。
【請求項１１】
当該光発散要素(512、610、812、910、1010)の断面積が、当該入力端(514、612、814、912、1012)から当該出力端(516、614、816、914、1014)に向って増大することを特徴とする請求項５に記載のLEDデバイス。
【請求項１２】
当該光発散要素(512、610、812、910、1010)の側面が、その当該入力端(514、612、814、912、1012)の近くにおいて、外に凸であるように湾曲していることを特徴とする請求項１１に記載のLEDデバイス。
【請求項１３】
当該光発散要素(512、610、812、910、1010)がライトパイプであることを特徴とする請求項５に記載のLEDデバイス。
【請求項１４】
当該LEDデバイスが、実質的に、デバイス本体(210)から成り、該本体が本体床(212)と本体側壁(214)とを有し、前記デバイス本体(210)が前記本体床(212)の反対側の本体開口(216)を有し、ここで、反射鏡(218、410、510、810)が前記デバイス本体(210)内に取りつけられて前記本体開口(216)に向かい合うように配置され、ここで、LED(220)が反射鏡(218、410、510、810)の上に取りつけられ、またここで、充填材(222)が前記デバイス本体(210)内の反射鏡(218、410、510、810)とLED(220)との上に注入されて硬化させられることを特徴とする請求項１に記載のLEDデバイス。
【請求項１５】
実質的に、請求項１から１４の中のいずれか１つに記載のLEDデバイスの配列から成ることを特徴とするLEDディスプレイ。
【発明の詳細な説明】
【技術分野】
【０００１】
本発明は、発光ディスプレイデバイスに関する。特に、一体型の発光ダイオード(LED)デバイスであって、該デバイスを用いて作られるLEDディスプレイの画像の質を向上させるためにピクセル充填率を大きくしたデバイスに関する。
【背景技術】
【０００２】
現今の市場において要求されているのは、十分な輝度、コントラスト、γ、および色を有する、野外使用のための大面積ディスプレイ(たとえば、100〜150インチの平面型ディスプレイ)である。現行の技術たとえば有機発光ダイオード(OLED)ディスプレイには限界がある。たとえば、OLEDディスプレイは寿命が限られており、また色飽和度が限られている。これに対して、LEDは大面積ディスプレイたとえば野外競技場ディスプレイに特に良く適している。というのは、LEDは十分な輝度、コントラスト、γ、および色を有するからである。
【０００３】
LEDは点光源であり、非常に小さな面積を占め、集中出力を有する光源である。すなわち、LEDは点光源であり、LEDディスプレイ内の各LEDは低充填率を有し、そのためLEDディスプレイの全体的な画像の質が制限される。充填率というのは、放射光によって埋めつくされピクセル面積の百分率である。
【０００４】
たとえば、図１は、LEDディスプレイ100の部分の前面図(縮尺は正しくない)であり、これは低ピクセル充填率を有する通常のLEDディスプレイの代表例である。LEDディスプレイ100は、複数のLED 110を有し、該LEDはディスプレイ背面112上に配列されている。LED 110は、たとえば、通常のLEDチップデバイス、たとえば、Cree,Inc.(ノースカロライナ州、Durham市)、Osram GmbH(ドイツ、ミュンヘン市)、またはNichia Corporation(日本、徳島市)が市販しているようなものである。LED 110は、電流が流れたときに可視光を放射する周知の半導体デバイスである。ディスプレイ背面112は、その上に取りつけられたLED 110の配列への電気的および機械的接続部を両方とも収容するための代表的なディスプレイ背面である。LEDディスプレイ100のLED 110は、たとえば3〜25 mmの間隔で配置され、そのためピクセル充填率は5%よりも小さくなる。一つの例においては、LED 110はディスプレイ背面112上に10 mmの間隔で配置され、その場合、ピクセル面積は10×10 mmすなわち100 mm2になる。各LED 110の発光面の寸法が、たとえば0.5×0.5 mmである場合、各LED 110の面積は0.25 mm2になる。したがって、点光源であるこのLED 110の場合、充填率、すなわち放射光で埋めつくされるピクセル面積の百分率は、(0.25/100)×100=0.25%と計算される。
【０００５】
したがって、LEDディスプレイ100は低ピクセル充填率を有し、そのため、小さなドットのように見える画像ピクセルが形成され、したがって個々のピクセルが識別できる。したがって、LEDディスプレイ100の画像の質は、たとえば、大きなピクセル充填率を有していて個々のピクセルが識別できない液晶ディスプレイまたはOLEDディスプレイの画像の質と比較できるレベルにはない。必要なものは、大きなピクセル充填率を有するLEDディスプレイ、したがって画像の質が向上したLEDディスプレイを製造する方法である。
【０００６】
一般に、LEDディスプレイは低い解像度を有する。LEDデバイスの一個あたりの価格が割合に高いためである。LEDディスプレイにおける低充填率を補う一つの方法は、LEDディスプレイの解像度を高めることである。これは、ピクセル間隔が小さい配列が得られるようにLEDデバイスを追加することによって実現できる。したがって、市場における問題は、許容される画像の質を有すると同時に低価格のままであるLEDディスプレイを製造するということである。もっと詳しく言えば、LEDディスプレイの解像度を高くして画像の質が高くなるようにするために、多くのLEDを使用した場合、LEDディスプレイの価格が高くなりすぎて実際的でない。しかし、適度の価格のLEDディスプレイとした場合には、解像度したがって画像の質が低すぎて、許容できるものでなくなる。必要なものは、価格と画像の質との両方に関して、市場の要求を満たすようなLEDディスプレイを製造する方法である。
【発明の開示】
【発明が解決しようとする課題】
【０００７】
したがって、本発明の目的は、ピクセル充填率が大きいLEDディスプレイを提供することであり、したがって画像の質の高いLEDディスプレイを提供することである。
【０００８】
本発明のもう一つの目的は、適度の価格であるが、画像の質の高い低解像度のLEDディスプレイを提供することである。
【課題を解決するための手段】
【０００９】
本発明は、
LEDデバイスの配列から成るLEDディスプレイに使用するためのLEDデバイスであって、前記LEDデバイスが、一つのLEDと一つの反射鏡とを有し、該反射鏡が前記LEDによって放射される光束に対する拡大作用を与えるように配置されていることを特徴とするLEDデバイス、
に関する。
【００１０】
前記反射鏡とLEDとの組合せにより、点光源であるLEDによって放射される光束に対する拡大作用が得られる。
【００１１】
その結果、通常のLEDの配列によって構成されるディスプレイに比して、本発明のLEDデバイスの配列によって構成されるディスプレイにおいては、知覚ピクセル充填率(perceived pixel fill factor)が増大し、したがって画像の質の高いLEDディスプレイが与えられる。さらに、本発明のLEDデバイスの使用により、適度の価格で、低解像度で、画像の質の高いLEDディスプレイを作ることができる。
【００１２】
本発明の好ましい実施形態においては、LEDデバイスがさらに、入力端と出力端とを有する光発散要素を備えており、ここで、前記反射鏡は前記入力端に向けられており、またここで、LEDは前記光発散要素と前記反射鏡との間に配置されている。
【００１３】
本発明はまた、本発明によるLEDデバイスの配列から成るLEDディスプレイに関する。
【発明を実施するための最良の形態】
【００１４】
以下、本発明の特徴をさらに十分に説明するために、単なる例として、添付の図面を参照しつつ、本発明によるLEDデバイスとLEDディスプレイとのいくつかの好ましい実施形態について述べる。
【００１５】
本発明は、一体型のLEDデバイスであって、該デバイスを用いて作られるLEDディスプレイパネルの画像の質を向上させるためにピクセル充填率を大きくした一体型のLEDデバイスである。本発明のLEDデバイスは、たとえば反射鏡、ライトパイプ、および/または各種光学レンズのような光学要素を、LEDとともに有する。この光学要素は、点光源であるLEDによって放射される光束に対する拡大作用を与える。
【００１６】
その結果、通常のLED配列によって構成されるディスプレイに比して、本発明のLEDデバイスの配列によって構成されるディスプレイによれば、知覚ピクセル充填率が増大し、したがって画像の質の高められたLEDディスプレイが得られる。さらに、本発明のLEDデバイスの使用により、低解像度のLEDディスプレイを適度の費用で作ることができ、しかも高い画像の質を得ることができる。
【００１７】
図２Ａおよび２Ｂは、それぞれ、本発明によるLEDデバイス200の上面図および側面図(縮尺は正しくない)を示す。LEDデバイス200は、LEDデバイス本体210を有し、該本体は、本体床212、本体床212の周縁のまわりに一端が直角に取りつけられた複数の本体側壁214、および本体床212の反対側の本体開口216から成る。LEDデバイス本体210は、任意の適当に硬質の材料たとえばエポキシまたはセラミックスで作られる。
【００１８】
反射鏡218が、LEDデバイス本体210内に、本体床212に対向接触して取りつけられ、該反射鏡は、たとえば放物線形であり、高い反射性を有する。この例の場合、反射鏡218は、成形性の基板、たとえばエポキシプラスチックまたはセラミックスで作られた湾曲要素であり、この湾曲要素は、高度に反射性の層、たとえば数μmの厚さ(たとえば、２μmの厚さ)の銀層で被覆される。反射鏡218の基板材料は、成形性であり、反射性被覆の良好な支持体であり、LEDデバイス200によって生成される熱によって損傷を受けないような任意の材料とすることができる。反射鏡218は、LEDデバイス本体210の構造によってLEDデバイス200内に支持される。
【００１９】
LEDデバイス本体210内の反射鏡218の中心の上部にLED 220が取りつけられている。該LEDは、任意の市販のLEDチップデバイスであり、たとえば、Cree,Inc.(ノースカロライナ州、Durham市)、Osram GmbH(ドイツ、ミュンヘン市)、またはNichia Corporation(日本、徳島市)が販売している。LED 220は、電流が流れたときに可視光を放射する周知の半導体デバイスである。LED 220に適した代表的LEDチップデバイスは、たとえば、断面積0.25〜0.5 mm2のものである。LED 220の断面領域は正方形とは限らない。LED 220の断面領域は、たとえば長方形、円形、または楕円形とすることができる。一つの実施形態においては、反射鏡218の金属製反射層は、LED 220のアノードを該反射層に接続するための電気的通路として働くことができ、またLED 220のカソードは金の接続線によって外部接点(図示せず)に電気的に接続される。あるいは、反射鏡218がLED 220と電気的に接続されない場合には、反射鏡218から電気的に絶縁されているLED 220の電極への代替電気接続(図示せず)を行うために、反射鏡218に穴(図示せず)が備えられる。
【００２０】
反射鏡218とLED 220とがLEDデバイス本体210内に取りつけられると、充填材222が反射鏡218とLED 220との上に注入されて、硬化させられ、該充填材の露出表面が本体開口216と同じ高さになるようにされる。充填材222は光透過性の物質たとえばエポキシまたはシリコーン(silicon)であり、この物質は、反射鏡218とLED 220とを湿気その他の汚染物から保護するために、LEDデバイス本体210内の不活性化層として作用する。好ましくは、充填材222は、LEDデバイス本体210が一つも空気ポケットを有しないようにするものである。さらに、充填材222は、LEDデバイス200内で発生する熱を十分に散逸させるのに適当な熱伝導性を有する。
【００２１】
円形偏光子224は、薄い接着剤層226によって、LEDデバイス本体210の本体開口216において充填材222の上に取りつけられる。接着剤層226は、光透過性接着剤たとえば3M（登録商標） Optically Clear Laminating Adhesive(光透過性の貼合せ接着剤) 8141であり、たとえば25μmの厚さに塗布される。円形偏光子224の目的は、周囲光が通過するときに周囲光を処理し、該周囲光が反射鏡218の表面から反射したときに、周囲光の鏡像をLEDデバイス本体210内に捕捉することであり、これは、LEDデバイス200の配列によって生成されるディスプレイのコントラスト比に対して非常に有益な効果を有する。円形偏光子は、たとえば0.25〜3.3 mmの厚さを有するプラスチックまたはガラス積層材として市販されている。円形偏光子224の供給者の一例は、3M Corporation(ミネソタ州、St.Paul市)である。
【００２２】
LEDデバイス200全体のパッケージ寸法は、非限定例として、たとえば、断面積3〜10 mm2であり、高さ1.5〜5 mmである。LEDデバイス200の高さ寸法は、たとえば、幅寸法の半分とすることができる。
【００２３】
図３Ａおよび３Ｂは、それぞれ、代替LED要素を有する本発明によるLEDデバイス300の上面図および側面図(縮尺は正しくない)である。LEDデバイス300とその付属要素とは、図２Ａおよび２Ｂに示すLEDデバイス200と同じであるが、LED 220の代わりにLED 310が使用されている点が異なる。LED 310は、形状を除いて、すべての点でLED 220と同じである。この例の場合、LED 310は反射鏡218の表面に向ってピラミッド状にすぼまっており、したがって反射鏡218に入射する光の入射角がLEDデバイス200の場合と異なっている。
【００２４】
図４Ａおよび図４Ｂは、それぞれ、代替反射鏡要素を有する本発明によるLEDデバイス400の上面図および側面図(縮尺は正しくない)である。LEDデバイス400とその付属要素とは、図２Ａおよび２Ｂに示すLEDデバイス200と同じであるが、反射鏡218の代わりに反射鏡410が使用されている点が異なる。反射鏡410は、形状を除いて、すべての点で反射鏡218と同じである。この例の場合、反射鏡410の形は、図４Ｂに示すように、LEDデバイス本体210の本体床212と本体側壁214とによって形成される形に一致している。
【００２５】
以下、図２Ａ、２Ｂ、３Ａ、３Ｂ、４Ａ、および４Ｂを参照しつつ、LEDデバイス200、300、および400の動作を、LEDデバイス200に関して説明する。LED 220の電極(図示せず)を通じて電圧が加えられる。すると、LED 220は光を放射し、この光は反射鏡218の表面に入射する。反射鏡218の反射作用により、LED 220の光束が拡大され、したがって広がった光束が生じて、円形偏光子224を通ってLEDデバイス200を出て行く。その結果、反射鏡218の拡大作用により、LEDデバイス200の配列によって構成されるディスプレイの知覚充填率が、LED 220だけの配列によって構成されるディスプレイの場合に比して、増大する。さらに、偏光子224は、LED 200の外部からLEDデバイス200にはいる周囲光の大きな部分が見る人に向って反射されるのを防ぐ。これは、LEDデバイス200の配列によって構成されるディスプレイのコントラスト比に対して有益な効果を有する。
【００２６】
当業者には明らかなように、本発明のLEDデバイスは、図２Ａ、２Ｂ、３Ａ、３Ｂ、４Ａ、および４Ｂに示すLEDの形状および反射鏡の形状のみに限定されるものではない。
【００２７】
さらに、図２Ａ、２Ｂ、３Ａ、３Ｂ、４Ａ、および４Ｂを参照する。LEDデバイス、たとえばLEDデバイス200、300、および400の特性は、反射鏡たとえば反射鏡218および410の形状を、取りつけ位置におけるLEDチップたとえばLED 220および310の放射特性(たとえば、その形状による)に対して最適化することにより、最適化することができる。通常、LEDはすべての側面から光を放射するが、必ずしも強度は同じでない。LEDチップは、目的に合わせた形状、たとえば図３Ｂに示すような先細の形状に作って、ある種の好ましいまたは公知の照射パターンを実現することができる。反射鏡要素は、それぞれのLEDチップから放射される光を捕捉しもっとも効率的なやり方でLEDデバイスの外に反射するために、最適化することができる。
【００２８】
さらに、暗い環境たとえば劇場環境で使用する場合には、LEDデバイス200、300、および400は、円形偏光子224を使用しないようにすることもできる。暗い環境下では、周囲光の影響は非常に小さく、したがって、この場合には、円形偏光子224は、LEDデバイス200、300、または400の配列によって構成されるディスプレイの総輝度を低下させる望ましくない効果を有しうるからである。
【００２９】
図５Ａおよび５Ｂは、それぞれ、本発明によるLEDデバイス500の上面図および側面図(縮尺は正しくない)を示す。LEDデバイス500は、図２Ａおよび２Ｂに関して述べたように、LEDデバイス本体210を有し、該本体は、本体床212、本体側壁214、および本体開口216から成る。
【００３０】
LEDデバイス500のLEDデバイス本体210内には、たとえば放物線形の反射鏡510が取りつけてある。反射鏡510は、たとえば図２Ａおよび２Ｂの反射鏡218に関して前述したような、高度に反射性の表面を有する。しかし、LEDデバイス500内の反射鏡510の機能は、LEDデバイス200内の反射鏡218の機能ほどには重要ではなく、したがって後者ほど反射性が大きい必要はない。したがって、反射鏡510は、たとえば白色プラスチックのような比較的反射性の小さい材料で作ることができる。反射鏡510は、LEDデバイス本体210の構造によりLEDデバイス500内に保持される。LEDデバイス500内の反射鏡510の中心上部には、たとえば図２Ａおよび２Ｂに関して前述したように、LED 220が取りつけてある。
【００３１】
LEDデバイス500のLEDデバイス本体210内に反射鏡510とLED 220とが取りつけられたならば、反射鏡510とLED 220との上に、充填材222が注入されて硬化させられ、たとえば図２Ａおよび２Ｂに関して前述したように、該充填材の露出表面が本体開口216と同じ高さになるようにされる。
【００３２】
LEDデバイス500は、さらに、光発散要素たとえば中実ライトパイプ512を有し、該ライトパイプは、平坦面から成るライトパイプ入力端514と、平坦面から成るライトパイプ出力端516とを有する。中実ライトパイプ512のライトパイプ入力端514は、LEDデバイス本体210の本体開口216において、薄い接着剤層518により、充填材222の上に取りつけられる。接着剤層518は、光透過性接着剤たとえば3M（登録商標） Optically Clear Laminating Adhesive 8141であり、たとえば25μmの厚さに塗布される。
【００３３】
中実ライトパイプ512は、ライトパイプ入力端514から入射するLED 220からの光を、目視位置であるライトパイプ出力端516に向ける光導路として作用させるためのものである。中実ライトパイプ512は、たとえば石英結晶または成形プラスチックの中実片から成る。中実ライトパイプの供給者の例としては、RPM OptoElectronics(カリフォルニア州、Santa Rosa市)およびOptical Coating Laboratory,Inc.がある。後者は、JDS Uniphase(カリフォルニア州、San Jose市)の全額出資子会社である。
【００３４】
ライトパイプは、内部全反射(TIR)の原理(principal)によって作動する。一端から入射し、ライトパイプの側面にぶつかる斜角の光は、全反射により、反射してライトパイプ内に逆戻りし、最後には該ライトパイプの反対端に達する。したがって、このライトパイプは、その一端に入射する光を導いて、その反対端から送り出す。したがって、光線は、ライトパイプの出口の断面領域内に集中する。中実ライトパイプ512の場合、該中実ライトパイプ512は、ライトパイプ入力端514に入射する光を導いてライトパイプ出力端516から送り出す。したがって、LED 220からの光線は、ライトパイプ出力端516の断面領域内に集中する。
【００３５】
中実ライトパイプ512の側面は、ライトパイプ入力端514からライトパイプ出力端516まで外向きに角度をつけて、出力端のライトパイプ断面積が入力端のライトパイプ断面積よりも大きくなるようにして、より大きな視野が得られるようにすることができる。図５Ｂには、非限定例として、たとえば、LEDデバイス500の軸面に対して0〜10゜をなす角αが示してある。
【００３６】
図６Ａおよび６Ｂは、それぞれ、本発明によるLEDデバイス600の上面図および側面図(縮尺は正しくない)である。この実施形態は、代替ライトパイプ要素を有する。LEDデバイス600とそれに付属する要素とは、図５Ａおよび５ＢのLEDデバイス500と同じであるが、中実ライトパイプ512の代わりに中空ライトパイプ610を有するところが異なる。
【００３７】
中空ライトパイプ610は、ライトパイプ入力端612とライトパイプ出力端614とを有する。中空ライトパイプ610のライトパイプ入力端612は、LEDデバイス本体210の本体開口216において、接着剤層518により、充填材222の上に取りつけられる。
【００３８】
中空ライトパイプ610は、内壁が高度に反射性の層たとえば銀層で被覆された中空構造を有する。中実ライトパイプ512におけると同様に、中空ライトパイプ610は、ライトパイプ入力端612に入射する光を導いて、目視位置であるライトパイプ出力端614に送る光導路として作用させるためのものである。もっと詳しく言えば、中空ライトパイプ610は、その高度に反射性の壁により、ライトパイプ入力端612に入射するLED 220からの光を集め、連続反射によりライトパイプ出力端614に導く。中空ライトパイプの供給者の例としては、RPM OptoElectronics(カリフォルニア州、Santa Rosa市)およびOptical Coating Laboratory,Inc.がある。後者は、JDS Uniphase(カリフォルニア州、San Jose市)の全額出資子会社である。
【００３９】
中実ライトパイプ512におけると同様に、中空ライトパイプ610の側面は、ライトパイプ入力端612からライトパイプ出力端614まで外向きに角度をつけて、より大きな視野が得られるようにすることができる。図６Ｂには、図５Ａおよび５ＢのLEDデバイス500に関して前述したような角αが示してある。
【００４０】
以下、引き続き、図５Ａ、５Ｂ、６Ａ、および６Ｂを参照して、LEDデバイス500および600の動作を、LEDデバイス500に関して説明する。LED 220には、電極(図示せず)を通じて電圧が加えられる。すると、LED 220は光を放射し、該光は、反射鏡510の表面また中実ライトパイプ512のライトパイプ入力端514の表面に入射する。反射鏡510の反射作用により、LED 220の光束が拡大され、したがって、大きな光束が生成されて、これが中実ライトパイプ512のライトパイプ入力端514に入射する。中実ライトパイプ512のライトパイプ入力端514に入射する斜角の光は、TIRにより、中実ライトパイプ512の側面にぶつかり、反射されて中実ライトパイプ512内に逆戻りし、最後にはライトパイプ出力端516に達する。したがって、LED 220からの光線はライトパイプ出力端516の断面領域に集中させられる。その結果、反射鏡510と中実ライトパイプ512との拡大作用により、LEDデバイス500の配列によって構成されるディスプレイの知覚充填率は、LED 220のみの配列によって構成されるディスプレイのそれに比して、大きくなる。
【００４１】
図７Ａおよび７Ｂは、それぞれ、本発明によるLEDデバイス700の上面図および側面図を示し、この実施形態は代替光学要素を有する。LEDデバイス700は、図５Ａおよび５ＢのLEDデバイス500と同じであるが、凸レンズ710を有するところが異なる。該レンズは、薄い接着剤層712により、中実ライトパイプ512のライトパイプ出力端516の上に取りつけられる。接着剤層712は、光透過性接着剤たとえば3M（登録商標） Optically Clear Laminating Adhesive 8141であり、たとえば25μmの厚さに塗布される。凸レンズ710は、通常の光学レンズデバイスであり、該レンズは、中実ライトパイプ512のライトパイプ出力端516を出て行く光をさらに分散させ、したがってLEDデバイス700の配列によって構成されるディスプレイの知覚充填率をさらに大きくするように作用する。また、凸レンズ710の存在は、LEDデバイス700の視野角を改善するように作用する。凸レンズの供給者の例としては、Fujinon Corporation Ltd.(日本、さいたま市)がある。
【００４２】
図８Ａおよび８Ｂは、それぞれ、本発明によるLEDデバイス800の上面図および側面図(縮尺は正しくない)である。この実施形態は代替ライトパイプ要素を有する。LEDデバイス800とその付属要素とは、図５Ａおよび５ＢのLEDデバイス500と同じであるが、それぞれ、反射鏡510および中実ライトパイプ512の代わりの反射鏡810および中実ライトパイプ812を備えている点が異なる。
【００４３】
LEDデバイス800のLEDデバイス本体210内の本体床212上には、反射鏡810がぴったり接するように取りつけられており、該反射鏡はたとえば放物線形を有する。反射鏡810は、たとえば図２Ａおよび２Ｂの反射鏡218に関して前述したような、高度に反射性の表面を有する。しかし、LEDデバイス800内の反射鏡810の機能は、LEDデバイス200内の反射鏡218の機能ほどには重要ではなく、したがって後者ほど反射性が大きい必要はない。したがって、反射鏡810は、たとえば白色プラスチックのような比較的反射性の小さい材料で作ることができる。LEDデバイス500内の反射鏡810の中心上部には、LED 220が取りつけてある。
【００４４】
中実ライトパイプ812は、たとえば図５Ａおよび５ＢのLEDデバイス500の中実ライトパイプ512に関して前述したような、通常のライトパイプデバイスである。中実ライトパイプ812は、ライトパイプ入力端814およびライトパイプ出力端816を有する。中実ライトパイプ812のライトパイプ入力端814内には、球面818が形成され、該球面は、ドーム状構造(すなわち、凹レンズ)を形成して、LED 220によって放射される光線をより効率的に捕らえるようになっている。さらに、中実ライトパイプ812のライトパイプ出力端816の表面には、凸レンズ面820が形成されている。図７Ａおよび７ＢのLEDデバイス700の凸レンズ710と同様に、凸レンズ面820は、中実ライトパイプ812のライトパイプ出力端816を出て行く光をさらに分散させるように作用し、したがって、LEDデバイス800の配列によって構成されるディスプレイの知覚充填率をさらに増大させる。さらに、凸レンズ面820の存在により、LEDデバイス800の視野角をさらに改善することができる。しかし、独立要素であるLEDデバイス700の凸レンズ710と異なり、凸レンズ面820は、中実ライトパイプ812の構造内に介在物なしで備えられる光学レンズデバイスを与えるものである。
【００４５】
中実ライトパイプ812のライトパイプ入力端814は、接着剤層518により、LEDデバイス本体210の本体開口216において、充填材222の上に貼りつけられる。球面818によって形成される空所は、充填材222または注封材によって完全に満たされる。これは、たとえば、正確な量の材料滴を放出する小出し装置の使用によってなされ、そのあと、中実ライトパイプ812は、LEDデバイス本体210と連結される。充填材内に空気ポケットが取り込まれることがないように、存在する空気は真空発生源または毛細管法によって除去することができる。
【００４６】
図５Ａおよび５ＢのLEDデバイス500の中実ライトパイプ512と同様に、中実ライトパイプ812の側面には、ライトパイプ入力端814からライトパイプ出力端816に向って外向きに角度を付けて、大きな視野角が得られるようにする。図８Ｂには、図５Ａおよび５ＢのLEDデバイス500に関して前述したような、角度αが示してある。
【００４７】
図９Ａおよび９Ｂは、それぞれ、本発明によるLEDデバイス900の上面図および側面図(縮尺は正しくない)を示す。この実施形態は、代替ライトパイプ要素を有する。LEDデバイス900とその付属要素とは、中実ライトパイプ812の代わりの中実ライトパイプ910を備えているという点を除いて、図８Ａおよび８ＢのLEDデバイス800と同じである。
【００４８】
中実ライトパイプ910は、図５Ａおよび５ＢのLEDデバイス500の中実ライトパイプ512に関して前述したような、通常のライトパイプデバイスである。中実ライトパイプ910は、ライトパイプ入力端912とライトパイプ出力端914とを有する。中実ライトパイプ910のライトパイプ入力端912内には、球面916が形成され、該球面の形と機能とは、図８Ａおよび８ＢのLEDデバイス800の球面818と実質的に同じである。さらに、中実ライトパイプ910のライトパイプ出力端914の表面には、凸レンズ面918が形成され、その形と機能とは、LEDデバイス800の凸レンズ面820と実質的に同じである。
【００４９】
中実ライトパイプ910のライトパイプ入力端912は、接着剤層518により、LEDデバイス本体210の本体開口216において、充填材222の上に接着されている。球面916によって形成される空所は、充填材222または注封材によって完全に満たされる。これは、たとえば、正確な量の材料滴を放出する小出し装置の使用によってなされ、そのあと、中実ライトパイプ910は、LEDデバイス本体210と連結される。充填材内に空気ポケットが取り込まれることがないように、存在する空気は真空発生源または毛細管法によって除去することができる。
【００５０】
図８Ａおよび８ＢのLEDデバイス800の中実ライトパイプ812とは異なり、中実ライトパイプ910の側面は、ライトパイプ入力端912の近くで、たとえば、図に示すような角βをなすように、外に凸に湾曲している。この角は、非限定例として、たとえば、LEDデバイス800の軸面に対して0〜30゜の範囲にある。ライトパイプ出力端914の近くでは、中実ライトパイプ910の側面の傾斜は小さく、たとえば図のような角γを有している。この角は、非限定例として、たとえば、LEDデバイス800の軸面に対して0〜5゜の範囲にある。
【００５１】
LED 220の近くで外に凸に湾曲している側面を有するライトパイプを備えることの目的は、中実ライトパイプ910の側壁の形状を最適化して、LED 220の放射パターンがよりよく捕らえられるようにすることである。たとえば、LED 220がその側面から放射するとき、湾曲側壁は、中実ライトパイプ910に入射する光線をよりよく捕らえるようになっている。光の入射角が適当でないと、TIRは起こらないからである。より詳しく言えば、LED 220の近くの中実ライトパイプ910の側壁の傾斜を調節することにより、TIRを起こさせるのに適当な角となるようにすることができる。
【００５２】
図１０Ａおよび１０Ｂは、それぞれ、本発明によるLEDデバイス1000の上面図および側面図(縮尺は正しくない)を示す。この実施形態は、代替光学要素と代替ライトパイプ要素とを有する。LEDデバイス1000とその付属要素とは、中実ライトパイプ512の代わりの中実ライトパイプ1010を備え、屈折(diffractive)レンズ1018が加わっているという点を除いて、図５Ａおよび５ＢのLEDデバイス500と同じである。
【００５３】
中実ライトパイプ1010は、図５Ａおよび５ＢのLEDデバイス500の中実ライトパイプ512に関して前述したような、通常のライトパイプデバイスである。中実ライトパイプ1010は、ライトパイプ入力端1012とライトパイプ出力端1014とを有する。中実ライトパイプ1010は、ライトパイプ出力端1014の平坦面に備えられた、テクスチャー加工面1016を有するという点で、LEDデバイス500の中実ライトパイプ512と異なる。さらに、屈折レンズ1018が、接着剤層1020により、ライトパイプ出力端1014において、テクスチャー加工面1016の上に貼りつけられている。接着剤層1020は、光透過性接着剤たとえば3M（登録商標） Optically Clear Laminating Adhesive 8141であり、たとえば25μmの厚さに塗布される。
【００５４】
屈折レンズ1018は、通過する光波を曲げて広げる通常の光学デバイスである。屈折レンズの供給者の例としては、Heptagon Inc.(フィンランド、Espoo市)がある。屈折レンズ1018とともにテクスチャー加工面1016を備えるという組合せにより、中実ライトパイプ1010のライトパイプ出力端1014を出て行く光がさらに分散させられ、したがって、LEDデバイス1000の配列によって構成されるディスプレイの知覚充填率がさらに増大する。屈折レンズ1018と組み合わせたテクスチャー加工面1016の利点は、ライトパイプ出力端1014の表面を平坦なままとしたままで、光の分散をある程度増大させることができる、ということである。
【００５５】
すべての実施形態が、異なる独自の要素と特徴とを有するが、図７Ａ、７Ｂ、８Ａ、８Ｂ、９Ａ、９Ｂ、１０Ａ、および１０ＢのLEDデバイス700、800、900、および1000の基本動作は、それぞれ、図５Ａと５Ｂ、および図６Ａと６ＢのLEDデバイス500および600に関して前述したものと実質的に同じである。したがって、それぞれの反射鏡とライトパイプの拡大作用により、LEDデバイス500、600、700、800、900、または1000の配列によって構成されるディスプレイの知覚充填率は、LED 220だけの配列によって構成されるディスプレイのそれと比べて、大きくなる。このことについては、図１１を用いてさらに詳しく説明する。
【００５６】
さらに、図５Ａ、５Ｂ、６Ａ、６Ｂ、７Ａ、７Ｂ、８Ａ、８Ｂ、９Ａ、９Ｂ、１０Ａ、および１０Ｂを参照する。LEDデバイス500、600、700、800、900、および1000のパッケージ全体の寸法は、たとえば、断面積が3〜10 mm2であり、高さが1.5〜5 mmであるが、これのみには限定されない。LEDデバイス500、600、700、800、900、および1000の高さは、たとえば、幅の半分にすることができる。
【００５７】
図１１は、本発明のLEDデバイス200、300、400、500、600、700、800、900、および1000の配列によって構成されるLEDディスプレイ1100の部分の前面図(縮尺は正しくない)である。LEDデバイス200、300、400、500、600、700、800、900、および1000は、ディスプレイ背面1110に取りつけられる。この背面は、該背面に取りつけられるLEDの配列のための電気的および機械的接続部分を両方とも収容するための代表的ディスプレイ背面である。
【００５８】
単体のLED 220を用いる場合の充填率の計算例:
各LED 220は、隣のものとの間隔がたとえば1 mmとなるようにディスプレイ背面1110上に配置され、この場合、ピクセル面積は1×1 mmすなわち1 mm2となる。単体のLED(付随するLEDデバイスアセンブリを除いたもの)の寸法が、たとえば0.25×0.25 mmである場合、単体のLEDの面積は0.0625 mm2となる。放射される光で満たされるピクセル面積の百分率である充填率は、点光源であるこの単体LED 220の場合、(0.0625/1)×100=6.25%と計算される。
【００５９】
LEDデバイス200、300、400、500、600、700、800、900、または1000を用いる場合の充填率の計算例
LEDデバイス200、300、400、500、600、700、800、900、または1000に備えられた各種反射鏡、ライトパイプ、光学デバイス、および/または他の特性向上要素の拡大作用により、知覚充填率が増大する。たとえば、LEDデバイス200、300、400、500、600、700、800、900、または1000で得られる視野の寸法が、たとえば0.9×0.9 mmである場合には、その面積は0.81 mm2である。ピクセル面積が前記と同じ1 mm2である場合、充填率は、(0.81/1)×100=81%と計算される。
【００６０】
81%の充填率は、6.25%に比して、ほとんど13倍の改良である。その結果、LEDディスプレイの製造にLEDデバイス200、300、400、500、600、700、800、900、または1000を使用することにより、LEDデバイス220単体を使用する場合に比して、LED 220を追加することなく、画像の質が向上し、したがって追加分の費用が不要になる。
【００６１】
あるいは、代替実施形態においては、一つのライトパイプ要素を有するLEDデバイス500、600、700、800、900、または1000によって構成される前記LEDディスプレイ1100は、整列させられ一つのLEDパッケージのアセンブリに機械的・光学的に連結された複数のライトパイプを含むアセンブリによって構成される。この場合、LEDパッケージのアセンブリには、LEDデバイス500、600、700、800、900、または1000のどの要素も含まれるが、ライトパイプ要素は含まれない。
【００６２】
図１２は、本発明による多LEDデバイス1200の斜視図(縮尺は正しくない)である。多LEDデバイス1200は、中実ライトパイプ1210を有し、該ライトパイプは、ライトパイプ入力端1212とライトパイプ出力端1214とを有する。さらに、複数の球面1216がライトパイプ入力端1212に形成され、凸レンズ面1218がライトパイプ出力端1214に形成される。中実ライトパイプ1210の複数の球面1216は、それぞれ、複数のLED 220と位置合わせされている。複数のLED 220は、たとえば、多数個収容(multiple die)LEDパッケージ内に備えられている。たとえばLEDデバイス500、600、700、800、900、または1000に関して前述したような、その他の要素、たとえば各種反射鏡、ライトパイプ、光学デバイス、および/または、その他の性能向上要素を有することができるが、簡明なように、これらは示してない。
【００６３】
図１３は、本発明のLEDデバイスを製造する方法1300の流れ図を示す。図２Ａ、２Ｂ、３Ａ、３Ｂ、４Ａ、４Ｂ、５Ａ、５Ｂ、６Ａ、６Ｂ、７Ａ、７Ｂ、８Ａ、８Ｂ、９Ａ、９Ｂ、１０Ａ、および１０ＢのLEDデバイス200、300、400、500、600、700、800、900、または1000の要素それぞれを、方法1300の説明において参照する。方法1300は下記のステップから成る。
【００６４】
ステップ1310:LEDデバイス本体の製造
このステップにおいては、たとえば、LEDデバイス200、300、400、500、600、700、800、900、または1000のLEDデバイス本体210が、通常の方法により、任意の適当な硬質材料たとえばエポキシまたはセラミックスを用いて製造される。方法1300はステップ1312に進む。
【００６５】
ステップ1312:反射鏡のLEDデバイス本体内への取りつけ
このステップにおいては、反射鏡デバイス、たとえば反射鏡218、410、510、または810が、LEDデバイス本体、たとえばLEDデバイス本体210内に取りつけられる。反射鏡デバイスは、LEDデバイス内に、そのLEDデバイス本体の構造によって支持される。たとえば、LEDデバイス本体210の本体床212と本体側壁214への接触によって支持される。方法1300は、ステップ1314に進む。
【００６６】
ステップ1314:LEDのLEDデバイス本体内への取りつけ
このステップにおいては、LEDデバイス、たとえばLED 220または310が、LEDデバイス本体210内で、反射鏡デバイス、たとえば反射鏡218、410、510、または810の中心上部に取りつけられる。たとえば、反射鏡218の金属反射層は、LED 220のアノードへの接続のための電気の通路として機能し、LED 220のカソードは、金の接続線によって外部接点(図示せず)に電気的に接続される。あるいは、反射鏡218がLED 220と電気的に接続していない場合には、反射鏡218に穴(図示せず)があけられ、反射鏡218と電気的に絶縁しているLED 220の電極への代替電気接続手段(図示せず)が与えられる。方法1300は、ステップ1316に進む。
【００６７】
ステップ1316:LEDデバイス本体内への充填材の注入
このステップにおいては、不活性化層としても作用する光透過性の充填材、たとえば充填材222が、通常の方法たとえば小出し装置の使用により、LEDデバイス本体210内の、反射鏡218、410、510、または810、およびLED 220または310の上に注入され、硬化させられる。この充填材内に空気ポケットが捕らえられないように、存在する空気はすべて真空発生源によって除去される。LEDデバイス200、300、400、500、600、700、または1000の場合、完成時に、充填材222の露出表面は本体開口216と同じ高さになる。しかし、球面818および916のところに空所を有するLEDデバイス800および900の場合、それぞれ、充填材222または注封材がこれらの空所を完全に満たす。これは、たとえば、正確な量の材料滴を放出する小出し装置の使用によってなされ、そのあと、中実ライトパイプ812または910がLEDデバイス本体210に結合される。この場合にも、空気ポケットが取り込まれないように、存在する空気は真空発生源または毛細管法によって除去することができる。不活性化物質として作用する光透過性物質の例としては、エポキシまたはシリコーンがある。方法1300は、ステップ1318に進む。
【００６８】
ステップ1318:ライトパイプの形成
このステップにおいては、LEDデバイス500、600、700、800、900、および1000の場合、それぞれのライトパイプ、たとえば中実ライトパイプ512、812、910、および1010、および中空ライトパイプ610が、通常の方法、たとえば射出成形、流し込み成形、またはマイクロ複製(micro replication)の使用によって、所定の寸法の側面および側壁角度を有するように作られる。凸レンズ面820および918が使用される場合、これらは、通常の方法、たとえば射出成形、流し込み成形、またはマイクロ複製によって、製造される。球面818および916が使用される場合、これらは、通常の方法、たとえば射出成形、流し込み成形、またはマイクロ複製によって、製造される。テクスチャー加工表面1016が使用される場合、これらは、通常の方法、たとえば射出成形、流し込み成形、またはマイクロ複製によって、製造される。あるいは、中実ライトパイプ512、812、910、および1010は、特別の不活性化材料を使用することなく、湿気に対する障壁層を生成する相似被覆だけを使用することによって、たとえば紫外線(UV)硬化ゲルのような方法によって、LEDデバイス本体210の上の適当な位置に中実ライトパイプ512、812、910、または1010を生成させることによって製造される。方法1300はステップ1320に進む。
【００６９】
ステップ1320:LEDデバイス本体の上への光学要素の取りつけ
このステップにおいては、他の光学要素、たとえば円形偏光子224、凸レンズ710、および屈折レンズ1018が、LEDデバイス200、300、400、500、600、700、800、900、または1000内に取りつけられ、使用できる場合には、光透過性接着剤によって取りつけられる。光透過性接着剤の一つの例としては、3M（登録商標） Optically Clear Laminating Adhesive) 8141がある。方法1300が終わる。
【００７０】
充填率を増大させるための本発明のLEDデバイスは、ここで開示した例のみには限定されない。要素および特性に関する他の変形も可能である。たとえば、円形偏光子をライトパイプと組み合わせて使用することができ、反射防止膜たとえばフッ化マグネシウム(MgF2)をライトパイプの出力表面に備えることができ、あるいは屈折レンズをライトパイプを使用しないでLEDデバイス本体210の上に直接取りつけることができる等々である。好ましくは、空気ポケットがLEDデバイス本体210内に存在しないように、LEDデバイス本体210を充填材222で完全に満たす。あるいは、充填材222はLED 220とそれぞれの反射鏡の上の不活性化薄層であり、これはLEDデバイス本体210の内部空所を完全には満たさない。しかし、この場合、LEDデバイスの性能は、内部に空気が存在するために、やや低下しうる。
【００７１】
さらに、当業者には容易にわかるように、本発明のLEDデバイスはここで開示した要素と特徴との組合せの細部にまで限定されるものではない。LEDデバイスの知覚充填率の改善のための要素と特徴とのあらゆる組合せが可能である。
【００７２】
まとめると、本発明のLEDデバイス200、300、400、500、600、700、800、900、または1000は、LED 220とともに、光学要素たとえば反射鏡、ライトパイプ、および/または各種の光学レンズを備えている。これらの光学要素は、点光源であるLED 220によって放射される光束を拡大する作用を有する。その結果、通常のLEDの配列によって構成されるディスプレイに比して、本発明のLEDデバイス200、300、400、500、600、700、800、900、または1000のいずれかの配列によって構成されるティスプレイにより、知覚ピクセル充填率が増大し、したがって画像の質が向上したLEDディスプレイが与えられる。さらに、本発明のLEDデバイス200、300、400、500、600、700、800、900、または1000の使用により、適度の費用で低解像度のLEDディスプレイが製造でき、高い画像の質が与えられる。
【図面の簡単な説明】
【００７３】
【図１】低ピクセル充填率を有する通常のLEDディスプレイの部分の前面図である。
【図２Ａ】本発明の第一の実施形態によるLEDデバイスの上面図である。
【図２Ｂ】本発明の第一の実施形態によるLEDデバイスの側面図である。
【図３Ａ】代替LED要素を有する前記第一の実施形態のLEDデバイスの上面図である。
【図３Ｂ】代替LED要素を有する前記第一の実施形態のLEDデバイスの側面図である。
【図４Ａ】代替反射鏡要素を有する前記第一の実施形態のLEDデバイスの上面図である。
【図４Ｂ】代替反射鏡要素を有する前記第一の実施形態のLEDデバイスの側面図である。
【図５Ａ−５Ｂ】それぞれ、本発明の第二の実施形態によるLEDデバイスの上面図及び側面図である。
【図６Ａ−６Ｂ】それぞれ、代替ライトパイプ要素を有する前記第二の実施形態のLEDデバイスの上面図及び側面図である。
【図７Ａ−７Ｂ】それぞれ、代替光学要素を有する前記第二の実施形態のLEDデバイスの上面図及び側面図である。
【図８Ａ−８Ｂ】それぞれ、代替ライトパイプ要素を有する前記第二の実施形態のLEDデバイスの上面図及び側面図である。
【図９Ａ−９Ｂ】それぞれ、代替ライトパイプ要素を有する前記第二の実施形態のLEDデバイスの上面図及び側面図である。
【図１０Ａ−１０Ｂ】それぞれ、代替光学要素と代替ライトパイプ要素とを有する前記第二の実施形態のLEDデバイスの上面図及び側面図である。
【図１１】本発明のLEDデバイスの配列によって構成されるLEDディスプレイの部分の前面図である。
【図１２】本発明による多LEDデバイスの斜視図である。
【図１３】本発明のLEDデバイスの製造方法の流れ図である。
【符号の説明】
【００７４】
100  先行技術のLEDディスプレイ
110  LED
112  ディスプレイ背面
200  LEDデバイス
210  LEDデバイス本体
212  本体床
214  本体側壁
216  本体開口
218  反射鏡
220  LED
222  充填材
224  円形偏光子
226  接着剤層
300  LEDデバイス
310  LED
400  LEDデバイス
410  反射鏡
500  LEDデバイス
510  反射鏡
512  ライトパイプ
514  ライトパイプ入力端
516  ライトパイプ出力端
518  接着剤層
600  LEDデバイス
610  中空ライトパイプ
612  ライトパイプ入力端
614  ライトパイプ出力端
700  LEDデバイス
710  凸レンズ
712  接着剤層
800  LEDデバイス
810  反射鏡
812  中実ライトパイプ
814  ライトパイプ入力端
816  ライトパイプ出力端
818  球面
820  凸レンズ面
900  LEDデバイス
910  中実パイプ
912  ライトパイプ入力端
914  ライトパイプ出力端
916  球面
918  凸レンズ面
1000  LEDデバイス
1010  中実ライトパイプ
1012  ライトパイプ入力端
1014  ライトパイプ出力端
1016  テクスチャー加工面
1018  屈折レンズ
1020  接着剤層
1100  LEDディスプレイ
1110  ディスプレイ背面
1200  LEDデバイス
1210  中実ライトパイプ
1212  ライトパイプ入力端
1214  ライトパイプ出力端
1216  複数の球面
1218  凸レンズ面
1300  本発明のLEDデバイスを製造する方法
1310  方法1300のステップ
1312  方法1300のステップ
1314  方法1300のステップ
1316  方法1300のステップ
1318  方法1300のステップ
1320  方法1300のステップ
α  傾斜角
β  傾斜角
γ  傾斜角
【図１】
2007123904.tif 000003
【図２Ａ】
2007123904.tif 000004
【図２Ｂ】
2007123904.tif 000005
【図３Ａ】
2007123904.tif 000006
【図３Ｂ】
2007123904.tif 000007
【図４Ａ】
2007123904.tif 000008
【図４Ｂ】
2007123904.tif 000009
【図５Ａ−５Ｂ】
2007123904.tif 000010
【図６Ａ−６Ｂ】
2007123904.tif 000011
【図７Ａ−７Ｂ】
2007123904.tif 000012
【図８Ａ−８Ｂ】
2007123904.tif 000013
【図９Ａ−９Ｂ】
2007123904.tif 000014
【図１０Ａ−１０Ｂ】
2007123904.tif 000015
【図１１】
2007123904.tif 000016
【図１２】
2007123904.tif 000017
【図１３】
2007123904.tif 000018
【外国語明細書】
2007123904.tif 000019
2007123904.tif 000020
2007123904.tif 000021
2007123904.tif 000022
2007123904.tif 000023
2007123904.tif 000024
2007123904.tif 000025
2007123904.tif 000026
2007123904.tif 000027
2007123904.tif 000028
2007123904.tif 000029
2007123904.tif 000030
2007123904.tif 000031
2007123904.tif 000032
2007123904.tif 000033
2007123904.tif 000034
2007123904.tif 000035
2007123904.tif 000036
2007123904.tif 000037
2007123904.tif 000038
2007123904.tif 000039
2007123904.tif 000040
2007123904.tif 000041
2007123904.tif 000042
2007123904.tif 000043
2007123904.tif 000044
2007123904.tif 000045
2007123904.tif 000046
2007123904.tif 000047
2007123904.tif 000048
2007123904.tif 000049
2007123904.tif 000050
2007123904.tif 000051
2007123904.tif 000052
2007123904.tif 000053
2007123904.tif 000054
2007123904.tif 000055
2007123904.tif 000056
2007123904.tif 000057
2007123904.tif 000058
2007123904.tif 000059
2007123904.tif 000060
2007123904.tif 000061